(57)【要約】【課題】放送データを任意の経路で柔軟に中継させることによって、放送データを継続して放送する技術を提供する。【解決手段】中継用送信部１１２、中継制御部１０８、中継用送信部１１２は、複数のセグメントが周波数分割多重されたチャンネルのうち、視聴用セグメントとして規定された少なくともひとつのセグメント以外のセグメントを使用することによって、他の放送装置との間でデータを交換する。中継制御部１０８、視聴用送信部１１６は、交換にて取得したデータを視聴用セグメントに割り当てることによって生成した信号を放送する。【選択図】図３
2013162227.tif 000002
【特許請求の範囲】
【請求項１】
複数のセグメントが周波数分割多重された放送信号における各セグメントのうち、視聴用セグメントとして規定された少なくともひとつのセグメント以外のセグメントを使用することによって、他の放送装置との間でデータを交換する通信部と、
前記通信部による交換にて取得したデータを視聴用セグメントに割り当てることによって生成した信号を放送する放送部と、
を備えることを特徴とする放送装置。
【請求項２】
前記通信部は、視聴用セグメント以外のセグメントのうちの一部を受信用のセグメントとして使用することによって他の放送装置からのデータを受信し、視聴用セグメント以外のセグメントのうち、受信用のセグメント以外のセグメントのうちの少なくともひとつを使用することによって他の放送装置へデータを送信することを特徴とする請求項１に記載の放送装置。
【請求項３】
前記通信部において交換されるデータには、データの順番を示すためのシーケンス番号が付与されており、
前記通信部は、新たなシーケンス番号が付与されたデータを受信した場合、当該データを送信し、既に取得したシーケンス番号が付与されたデータを受信した場合、当該データを破棄し、
前記放送部は、新たなシーケンス番号が付与されたデータを受信した場合、当該データを視聴用セグメントに割り当てることを特徴とする請求項１または２に記載の放送装置。
【請求項４】
前記通信部において交換されるデータには、データのソースを示すためのバージョン情報が付与されており、
前記通信部は、交換中のデータに付与されたバージョン情報よりも新しいバージョン情報が付与されたデータを受信した場合、新しいバージョン情報が付与されたデータに交換対象を変更することを特徴とする請求項１または２に記載の放送装置。
【請求項５】
複数のセグメントが周波数分割多重された放送信号における各セグメントのうち、視聴用セグメントとして規定された少なくともひとつのセグメントにて信号をそれぞれ放送する複数の放送装置を備え、
前記複数の放送装置は、放送信号における各セグメントのうち、視聴用セグメント以外のセグメントを使用することによって、互いにデータを交換するとともに、交換にて取得したデータを視聴用セグメントに割り当てることによって、放送すべき信号を生成することを特徴とする放送システム。
【請求項６】
複数のセグメントが周波数分割多重された放送信号における各セグメントのうち、視聴用セグメントとして規定された少なくともひとつのセグメント以外のセグメントを使用することによって、他の放送装置との間でデータを交換するステップと、
交換にて取得したデータを視聴用セグメントに割り当てることによって生成した信号を放送するステップと、
を備えることを特徴とする放送方法。
【発明の詳細な説明】
【技術分野】
【０００１】
本発明は、放送技術に関し、特に複数のセグメントのうちの少なくともひとつを使用して、信号を放送する放送装置、放送システム、放送方法に関する。
【背景技術】
【０００２】
地上デジタル放送方式では、広帯域放送と狭帯域放送で同一の映像コンテンツを同一時刻に放送するサイマル放送がなされている。ここで、広帯域放送は、フルセグメント放送や１２セグメント放送に相当し、狭帯域放送は、ワンセグメント放送に相当する。一方、サイマル放送を行わず、フルセグメント放送とは異なる独自の映像コンテンツを特定のサービスエリア内のみで放送するエリアワンセグメント放送の実証実験もなされている。エリアワンセグメント放送は、サービスエリアが半径数メートル程度の小規模ものから、半径数十〜数百メートル程度規模のものまで想定されている。
【０００３】
エリアワンセグメント放送は、前述のごとく、半径数百メートルといった狭い範囲での電波送出である。そのため、さらに広範囲にわたって放送サービスを提供する場合、数百メートルの一定間隔で、電波を送出する放送装置を複数配置する必要がある。このような状況下においては、一定間隔で配置された複数の放送装置へ何らかの手段で放送データを送る必要がある。放送波を中継する際に、中継局は隣接する中継局からの電波を受信アンテナで受信し、受信した放送波を送信アンテナから再送信することになるが、このとき再送信した電波が回り込んでしまう。その結果、自身で送信した放送波が受信アンテナで受信されてしまうことがある。これに対応するため、親局から子局へパラボナアンテナを備えた中継局によって回り込みを回避し放送波を中継することがなされている（例えば、特許文献１）。
【先行技術文献】
【特許文献】
【０００４】
【特許文献１】特開２０００−７８０６４号公報
【発明の概要】
【発明が解決しようとする課題】
【０００５】
しかしながら、これまでの技術では、親局から子局方向へ中継できるが、子局から親局方向へ中継するためには、中継局のパラボナアンテナの設置数を変更したり、アンテナの向きを調整し直したりすることが必要になる。このような状況下では、中継方向を早急に変更することが困難である。このことから、災害発生時など親局に障害が起きて親局から放送波を発信できなくなった際、放送サービスの提供が中断してしまうことになる。特に災害時では緊急情報を放送する必要性があるので放送サービスが停止してしまう。また、親局から各子局までの中継経路がひとつのため、経路途中にある中継局に障害が発生して中継機能を損なう場合、その障害発生した中継局から放送波を受信している子局では放送サービスが中断されてしまうことも生じる。
【０００６】
本発明はこうした状況に鑑みてなされたものであり、その目的は、放送データを任意の経路で柔軟に中継させることによって、放送データを継続して放送する技術を提供することにある。
【課題を解決するための手段】
【０００７】
上記課題を解決するために、本発明のある態様の放送装置は、複数のセグメントが周波数分割多重された放送信号における各セグメントのうち、視聴用セグメントとして規定された少なくともひとつのセグメント以外のセグメントを使用することによって、他の放送装置との間でデータを交換する通信部と、通信部による交換にて取得したデータを視聴用セグメントに割り当てることによって生成した信号を放送する放送部と、を備える。
【０００８】
この態様によると、視聴用セグメント以外のセグメントを使用して、他の放送装置との間でデータを交換するので、放送データを任意の経路で柔軟に中継させることによって、放送データを継続して放送できる。
【０００９】
通信部は、視聴用セグメント以外のセグメントのうちの一部を受信用のセグメントとして使用することによって他の放送装置からのデータを受信し、視聴用セグメント以外のセグメントのうち、受信用のセグメント以外のセグメントのうちの少なくともひとつを使用することによって他の放送装置へデータを送信してもよい。この場合、受信用のセグメントと送信用のセグメントとを別に設定するので、衝突の発生確率の増加を抑制できる。
【００１０】
通信部において交換されるデータには、データの順番を示すためのシーケンス番号が付与されており、通信部は、新たなシーケンス番号が付与されたデータを受信した場合、当該データを送信し、既に取得したシーケンス番号が付与されたデータを受信した場合、当該データを破棄し、放送部は、新たなシーケンス番号が付与されたデータを受信した場合、当該データを視聴用セグメントに割り当てる。この場合、シーケンス番号をもとに中継するか否かを判定するので、折り返しと重複の受信を回避できる。
【００１１】
通信部において交換されるデータには、データのソースを示すためのバージョン情報が付与されており、通信部は、交換中のデータに付与されたバージョン情報よりも新しいバージョン情報が付与されたデータを受信した場合、新しいバージョン情報が付与されたデータに交換対象を変更してもよい。この場合、バージョン番号をもとに交換対象のデータを制御するので、データの発信源を変更できる。
【００１２】
本発明の別の態様は、放送システムである。この放送システムは、複数のセグメントが周波数分割多重された放送信号における各セグメントのうち、視聴用セグメントとして規定された少なくともひとつのセグメントにて信号をそれぞれ放送する複数の放送装置を備える。複数の放送装置は、放送信号における各セグメントのうち、視聴用セグメント以外のセグメントを使用することによって、互いにデータを交換するとともに、交換にて取得したデータを視聴用セグメントに割り当てることによって、放送すべき信号を生成する。
【００１３】
本発明のさらに別の態様は、放送方法である。この方法は、複数のセグメントが周波数分割多重された放送信号における各セグメントのうち、視聴用セグメントとして規定された少なくともひとつのセグメント以外のセグメントを使用することによって、他の放送装置との間でデータを交換するステップと、交換にて取得したデータを視聴用セグメントに割り当てることによって生成した信号を放送するステップと、を備える。
【００１４】
なお、以上の構成要素の任意の組合せ、本発明の表現を方法、装置、システム、記録媒体、コンピュータプログラムなどの間で変換したものもまた、本発明の態様として有効である。
【発明の効果】
【００１５】
本発明によれば、放送データを任意の経路で柔軟に中継させることによって、放送データを継続して放送できる。
【図面の簡単な説明】
【００１６】
【図１】本発明の実施例に係るエリアワンセグメント放送システムの構成を示す図である。
【図２】図１のエリアワンセグメント放送システムにおいて使用されるチャンネルの構成を示す図である。
【図３】図１の放送装置の構成を示す図である。
【図４】図１のエリアワンセグメント放送システムにおける処理の概要を示す図である。
【図５】図２の放送装置による折り返しと重複した受信を回避する手順を示すフローチャートである。
【図６】図２の放送装置による異なる内容の放送データを切り替える手順を示すフローチャートである。
【発明を実施するための形態】
【００１７】
本発明を具体的に説明する前に、まず概要を述べる。本発明の実施例は、特定のエリアに限定して独自のコンテンツを放送するエリアワンセグメント放送システムに関する。ここでは、複数の放送装置を用いて中広域エリアにわたって放送サービスを提供する。複数の放送装置から同一の放送データを放送させるために、複数の放送装置のそれぞれに放送データを配信する必要がある。放送データを継続して放送するためには、この配信が継続して実行されることが必要とされる。そのために、放送装置を中継装置としても使用させることによって、放送装置間で放送データを転送させる。このような転送を実行すると、一度中継した放送データを隣接の放送装置から再度折り返しで受信してしまうおそれがあるので、折り返しの中継を回避しなければならない。また、異なった経路を通ってきた同じ放送データを複数の隣接の送信装置から受信する場合もあるので、この重複も回避しなければならない。
【００１８】
これに対応するために、本実施例に係るエリアワンセグメント放送システムは、次の処理を実行する。複数の放送装置のそれぞれでは、複数のセグメントのうちのひとつのセグメント、例えば、中央のセグメントを視聴用のセグメント（以下、「視聴用セグメント」という）として規定する。つまり、複数の放送装置は、共通の視聴用セグメントにて同一の放送データを放送する。また、複数の放送装置は、視聴用セグメント以外のセグメントを使用して、放送データの配信、つまり中継を実行する。このように視聴用セグメント以外の空きセグメントを使って放送波を中継するので、親局から子局といったような中継方向に拘束されずに、放送データの発信元となる放送装置が任意に設定される。そのため、これにより災害時などにおいて、発信元の放送装置に障害発生した場合でも、すぐに発信元を変更し、安定した放送サービスが提供される。
【００１９】
ここで、回り込みを回避するために放送装置において、受信用のセグメント番号と送出用のセグメント番号とが異なる番号で設定される。さらに、複数の隣接の放送装置から放送波を受信するために、放送装置は隣接の放送装置の数だけ異なるセグメントを同時に受信できるように設定される。これに対応して、隣接した放送装置は、互いに異なったセグメントで放送波を送出するように設定される。その結果、隣り合った送信装置は、互いの放送波を受信し、回り込みが回避される。さらに、折り返しと重複の受信を回避するために、各放送装置は、放送データのパケットにシーケンス番号を付加して発信する。これを受信した放送装置は、受信済み放送データのシーケンス番号と比較し、受信済みかどうかを判定する。
【００２０】
次に放送データを発信する放送装置を変更して中継するために、放送データにバージョン番号が付加される。放送データを最初に発信する放送装置は、既に放送中の放送データのバージョン番号にインクリメントした値を付加して放送データを発信開始する。各放送装置では、複数の異なる隣接の放送装置から同時に異なる内容の放送データを受信したときに、放送データのバージョン番号を比較し、番号の大きい方の放送データを中継し、かつこれを視聴用セグメントで放送する。ひとつ前のバージョン番号が付与された放送データを発信している放送装置が、他の放送装置から発信されてきた新しいバージョン番号の放送データを受信した場合、自身からの古い放送データの発信を停止する。
【００２１】
図１は、本発明の実施例に係るエリアワンセグメント放送システム１０００の構成を示す。エリアワンセグメント放送システム１０００は、放送装置２００と総称される第１放送装置２００ａ、第２放送装置２００ｂ、第３放送装置２００ｃ、第４放送装置２００ｄ、第５放送装置２００ｅ、第６放送装置２００ｆ、第７放送装置２００ｇ、第８放送装置２００ｈ、第９放送装置２００ｉ、第１０放送装置２００ｊ、第１１放送装置２００ｋ、第１２放送装置２００ｌ、第１３放送装置２００ｍ、第１４放送装置２００ｎ、第１５放送装置２００ｏ、第１６放送装置２００ｐ、第１７放送装置２００ｑ、第１８放送装置２００ｒ、第１９放送装置２００ｓ、第２０放送装置２００ｔ、第２１放送装置２００ｕ、第２２放送装置２００ｖ、第２３放送装置２００ｗ、第２４放送装置２００ｘ、第２５放送装置２００ｙ、第２６放送装置２００ｚを含む。
【００２２】
複数の放送装置２００のそれぞれは、複数のセグメントが周波数分割多重されたチャンネルのうち、視聴用セグメントとして規定された少なくともひとつのセグメントにて信号を放送する。図２は、エリアワンセグメント放送システム１０００において使用されるチャンネルの構成を示す。図示のごとく、セグメント０からセグメント６が、周波数軸上に配置されている。具体的に説明すると、最も低い周波数にセグメント３が配置され、周波数が高くなるにつれて、セグメント２、セグメント１が配置される。また、セグメント０が中央に配置されており、これが前述の視聴用セグメントに相当する。さらに、周波数が高くなるにつれて、セグメント４、５、６が配置される。ひとつのチャンネルを構成しているセグメント数やセグメント番号は、図２に限定されるものではないが、ここでは図２をもとに本実施例を説明する。図１に戻る。各放送装置２００から、視聴用セグメントにて放送された信号は、図示しない受像装置に受信される。受像装置は、放送データを再生する。
【００２３】
複数の放送装置２００は、チャンネルのうち、視聴用セグメント以外のセグメントを使用することによって、互いに放送データを交換する。図中の点線矢印で示された放送装置２００の間で、放送データの交換がなされる。例えば、第３放送装置２００ｃは、第２放送装置２００ｂ、第４放送装置２００ｄ、第１２放送装置２００ｌとの間で放送データを交換する。視聴用セグメント以外のセグメントは、図３におけるセグメント１から６に相当する。放送データの交換に関しては、後述する。放送装置２００は、交換にて取得したデータを視聴用セグメントに割り当てることによって、放送すべき信号を生成する。
【００２４】
図３は、放送装置２００の構成を示す。放送装置２００は、受信アンテナ１００、セグメント受信部１０２と総称される第Ｘセグメント受信部１０２ａ、第Ｙセグメント受信部１０２ｂ、第Ｚセグメント受信部１０２ｃ、中継制御部１０８、変調部１１０、中継用送信部１１２、送信アンテナ１１４、視聴用送信部１１６、放送アンテナ１１８を含む。また、セグメント受信部１０２は、部分受信部１０４、復調部１０６を含む。
【００２５】
受信アンテナ１００は、他の放送装置２００からの信号を受信する。受信アンテナ１００は、受信した信号を第Ｘセグメント受信部１０２ａ、第Ｙセグメント受信部１０２ｂ、第Ｚセグメント受信部１０２ｃに出力する。第Ｘセグメント受信部１０２ａ、第Ｙセグメント受信部１０２ｂ、第Ｚセグメント受信部１０２ｃは、互いに異なったひとつのセグメントに配置された信号を処理する。これらは、例えば、図２の第３セグメント、第２セグメント、第１セグメントに対応したり、第４セグメント、第５セグメント、第６セグメントに対応したりする。
【００２６】
部分受信部１０４は、受信アンテナ１００において受信した信号を入力し、処理すべきセグメントの信号を抽出する。復調部１０６は、セグメント受信部１０２において抽出した信号を復調する。ここで、復調にはＦＦＴ（Ｆａｓｔ  Ｆｏｕｒｉｅｒ  Ｔｒａｎｓｆｏｒｍ）も含まれる。復調した結果は、他の放送装置２００から送信された放送データといえる。なお、セグメントに信号が配置されていない場合、復調部１０６は、復調を実行しない。このように複数のセグメント受信部１０２によって、各セグメントの放送データを同時に取得する。
【００２７】
中継制御部１０８は、復調した放送データを対象にして、折り返し、重複受信した放送データを識別し取捨選択して中継する処理と、中継する放送データを切り替える処理を実行する。これらの処理は、後述する。中継制御部１０８は、中継すると判定した放送データを変調部１１０に出力する。変調部１１０は、中継制御部１０８からの信号を入力し、入力した信号を変調する。ここで、変調にはＩＦＦＴ（Ｉｎｖｅｒｓｅ  Ｆａｓｔ  Ｆｏｕｒｉｅｒ  Ｔｒａｎｓｆｏｒｍ）も含まれる。変調部１１０は、変調した信号を中継用送信部１１２と視聴用送信部１１６に出力する。
【００２８】
中継用送信部１１２は、変調部１１０からの信号を入力する。中継用送信部１１２は、他の放送装置２００へ信号を送信する際に使用すべきセグメントに、入力した信号を配置させる。送信の際に使用すべきセグメントは、セグメント受信部１０２が対応したセグメントと異なっている。例えば、セグメント受信部１０２が対応したセグメントがセグメント１〜３であれば、中継用送信部１１２は、セグメント４〜６のうちのひとつを使用する。中継用送信部１１２は、信号を送信アンテナ１１４から送信する。
【００２９】
つまり、セグメント受信部１０２、中継制御部１０８、中継用送信部１１２は、複数のセグメントが周波数分割多重されたチャンネルのうち、視聴用セグメント以外のセグメントを使用することによって、他の放送装置２００との間で放送データを交換する。特に、セグメント受信部１０２は、視聴用セグメント以外のセグメントのうちの一部を受信用のセグメントとして使用することによって他の放送装置２００からの放送データを受信する。中継用送信部１１２は、視聴用セグメント以外のセグメントのうち、受信用のセグメント以外のセグメントのうちの少なくともひとつを使用することによって他の放送装置２００へ放送データを送信する。
【００３０】
視聴用送信部１１６は、セグメント受信部１０２、中継用送信部１１２による交換にて取得した放送データを視聴用セグメントに割り当てることによって放送用の信号を生成する。視聴用送信部１１６は、放送用の信号を放送アンテナ１１８から放送する。
【００３１】
ここでは、中継制御部１０８における折り返し、重複受信した放送データを識別し取捨選択して中継する処理を説明する。中継制御部１０８が取得する放送データ、つまり他の放送装置２００との間において交換される放送データには、シーケンス番号が付与されている。シーケンス番号は、放送データの順番を示すための情報である。中継制御部１０８は、新たなシーケンス番号が付与された放送データを受信した場合、当該放送データを中継対象として決定し、当該放送データを中継用送信部１１２から送信させる。さらに、中継制御部１０８は、新たなシーケンス番号が付与された放送データを受信した場合、当該放送データを視聴用セグメントに割り当てることによって、視聴用送信部１１６に放送させる。一方、中継制御部１０８は、既に取得したシーケンス番号が付与された放送データを受信した場合、当該放送データを破棄する。
【００３２】
次は、中継制御部１０８における中継する放送データを切り替える処理を説明する。中継制御部１０８が取得する放送データ、つまり他の放送装置２００との間において交換される放送データには、バージョン番号が付与されている。バージョン番号は、放送データのソースを示すための情報である。中継制御部１０８は、交換中の放送データに付与されたバージョン番号よりも新しいバージョン番号が付与された放送データを受信した場合、新しいバージョン情報が付与された放送データに交換対象を変更する。なお、同一のバージョン番号は、ソースが同じである限り付与され続けられる。そのため、同一のバージョン番号が付与された放送データは、複数存在し、それらの順番を示すためにシーケンス番号が使用される。
【００３３】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３４】
図４は、エリアワンセグメント放送システム１０００における処理の概要を示す。エリアワンセグメント放送システム１０００は、図１と同様に示される。図中の放送装置２００には、１から３の数字が示されているものと、４から６の数字が示されているものとがある。前者は、セグメント１、２、３を使用して隣接の放送装置２００からの信号を受信することを示しており、後者は、セグメント４、５、６を使用して隣接の放送装置２００からの信号を受信することを示している。前者をＡタイプの放送装置２００とよび、後者をＢタイプの放送装置２００とよぶ場合、Ａタイプの放送装置２００とＢタイプの放送装置２００とが交互に配置されている。
【００３５】
各放送装置２００から出ている矢印は、信号の送信方向を示す。また、矢印の根元にある円で囲まれた番号は、送信に使用されるセグメントを示す。図示のごとく、セグメント１、２、３を受信に使用するＡタイプの放送装置２００では、セグメント１、２、３以外のセグメントが送信に使用される。Ｂタイプの放送装置２００においても同様である。破線で描かれた円は、放送装置２００からの放送波を受信できる範囲を示し、視聴用の放送波はこのエリアで受信可能である。この視聴セグメントを送出する放送装置２００は、Ａタイプ、Ｂタイプのどちらか片方から送出することで、システム全域にわたって視聴エリアがカバーされる。ここでは、一例として、Ａタイプの放送装置２００から放送されている。
【００３６】
以上の構成によるエリアワンセグメント放送システム１０００の動作を説明する。図５は、放送装置２００による折り返しと重複した受信を回避する手順を示すフローチャートである。初めに発信元となる放送装置２００は、放送データのパケットにシーケンス番号を付加して送出する。部分受信部１０４は、シーケンス番号が付加された放送波を受信し、復調部１０６は、放送波を復調し、中継制御部１０８は、放送データを取得する（Ｓ１０）。中継制御部１０８は、取得した放送データを解析し、シーケンス番号を取得する（Ｓ１２）。
【００３７】
中継制御部１０８は、最後に受信したシーケンス番号と比較し、同じ番号か古い番号であれば既に受信済みと判定し（Ｓ１４のＹ）、放送データを破棄する（Ｓ２２）。ステップ１０に戻る。一方、中継制御部１０８は、比較の結果、受信済み番号より新しい番号であれば受信済みでないと判定し（Ｓ１４のＮ）、受信したシーケンス番号を記憶する（Ｓ１６）。さらに、中継制御部１０８は、中継用送信部１１２に、受信した放送データを再送出させる（Ｓ１８）。放送波の受信があれば（Ｓ２０のＹ）、ステップ１０に戻る。一方、放送波の受信がなければ（Ｓ２０のＮ）、処理は終了される。
【００３８】
図６は、放送装置２００による異なる内容の放送データを切り替える手順を示すフローチャートである。初めに、発信元となる放送装置２００は、放送データのパケットにバージョン番号を付加して送出する。部分受信部１０４は、バージョン番号が付加された放送波を受信し、復調部１０６は、放送波を復調し、中継制御部１０８は、放送データを取得する（Ｓ５０）。中継制御部１０８は、取得した放送データを解析し、バージョン番号を取得する（Ｓ５２）。
【００３９】
中継制御部１０８は、取得したバージョン番号と、保存しておいた中継中の放送データのバージョン番号を比較し、取得した放送データのバージョン番号が中継中のバージョン番号以上でなければ（Ｓ５４のＮ）、放送データを破棄する（Ｓ６２）。ステップ５０に戻る。中継制御部１０８は、比較の結果、受信したデータのバージョン番号が中継中のバージョン番号以上であれば（Ｓ５４のＹ）、中継対象のバージョン番号を保存する（Ｓ５６）。さらに、中継制御部１０８は、中継用送信部１１２に、受信した放送データを再送出させる（Ｓ５８）。放送波の受信があれば（Ｓ６０のＹ）、ステップ５０に戻る。一方、放送波の受信がなければ（Ｓ６０のＮ）、処理は終了される。
【００４０】
本発明の実施例によれば、任意の放送装置を親局として放送データを発信することができる。また、異なる経路で中継されてきた放送データを重複して受信できるので、障害が発生しひとつの経路が遮断されても、正常な経路を通って中継されてきた受信した放送データを中継することができる。また、どこかの放送装置に障害が発生した場合であっても安定した放送サービスをシステム全域に提供できる。
【００４１】
また、通常時において、異なる経路で中継されてきた放送データを重複して受信した場合、後から受信した同一シーケンス番号の放送データを破棄し、障害の発生によって、ひとつの経路が遮断された場合、正常な経路を通って中継されてきた放送データを受信できる。また、空きセグメントと放送装置の配置の組み合わせによって、放送データの発信元の放送装置を任意に適時変更できる。また、エリアワンセグメント放送システムにおいて、任意の放送装置から放送データを発信することができるので、災害発生時などに放送データの発信源の放送装置に障害が起きた場合でも、発信源を変えて放送サービスを安定して提供できる。
【００４２】
また、シーケンス番号が付与されるので、中継先の放送装置から折り返しの電波を受信した際に、既に受信した放送データかどうかを判別することができる。また、シーケンス番号が付与されるので、異なる経路を通って中継されてきた放送波を重複して受信した場合であっても、自身が既に受信済みかどうか判定できる。また、１チャンネル内のセグメントの空きが残り６セグメントあるので、セグメント受信部をさらに３つ追加し、中継用送信部をさらにひとつ追加することによって、残りの６セグメントで別の放送データを中継できる。これにより、各放送装置を地域毎に例えば２つのグループに分けて、２つの放送データを同時に発信中継することによって、グループ毎に異なる放送データを放送できる。
【００４３】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４４】
本発明の実施例において、エリアワンセグメント放送システム１０００でのひとつのチャンネルは、７セグメントの周波数分割多重によって構成されている。しかしながらこれに限らず例えば、７以外のセグメント数によってひとつのチャンネルが構成されていてもよい。本変形例によれば、エリアワンセグメント放送システムの設計の自由度を向上できる。
【符号の説明】
【００４５】
１００  受信アンテナ、  １０２  セグメント受信部、  １０４  部分受信部、  １０６  復調部、  １０８  中継制御部、  １１０  変調部、  １１２  中継用送信部、  １１４  送信アンテナ、  １１６  視聴用送信部、  １１８  放送アンテナ、  ２００  放送装置、  １０００  エリアワンセグメント放送システム。
【図１】
2013162227.tif 000003
【図２】
2013162227.tif 000004
【図３】
2013162227.tif 000005
【図４】
2013162227.tif 000006
【図５】
2013162227.tif 000007
【図６】
2013162227.tif 000008